(57)【要約】【課題】処理装置およびプログラムにおいて、処理受付部を作成するにあたり、処理への指示を受け付けた場合の動作の種類が一つしか選択できない場合に比べ、使用者の意図に応じた処理の実行動作をする処理受付部を作成することができる。【解決手段】第１の処理受付部に対する操作を受け付けた場合、処理の内容を表す確認画面上で実行指示を受け付けることを条件に登録されている処理を実行する機能と、第２の処理受付部に対する操作を受け付けた場合、実行指示を必要とすることなく、登録されている処理を実行する機能と、第２の処理受付部に対する操作を受け付けた場合でも、第２の処理受付部に対する処理の登録後に処理に影響を与える変更があり、変更が実行前の確認を必要とするときには、第２の処理受付部について登録されている処理の内容を表示する確認画面上で実行指示を受け付けるまで、第２の処理受付部について登録されている処理を実行しない機能を備える。【選択図】図９
2018064297.tif 000002
【特許請求の範囲】
【請求項１】
指示操作に応じて処理を実行する処理手段と、
表示手段と、
を有し、
前記処理手段は、
前記表示手段の表示画面上で第１の処理受付部に対する操作を受け付けた場合、当該第１の処理受付部について登録されている処理の内容を確認画面に表示し、当該確認画面上で実行指示を受け付けることを条件に当該登録されている処理を実行し、
前記表示手段の表示画面上で第２の処理受付部に対する操作を受け付けた場合、前記実行指示を必要とすることなく、当該第２の処理受付部について登録されている処理を実行し、
前記第２の処理受付部に対する操作を受け付けた場合でも、当該第２の処理受付部に対する前記処理の登録後に当該処理に影響を与える変更があり、当該変更が実行前の確認を必要とするときには、当該第２の処理受付部について登録されている前記処理の内容を表示する確認画面上で実行指示を受け付けるまで、当該第２の処理受付部について登録されている当該処理を実行しない
ことを特徴とする処理装置。
【請求項２】
コンピュータに、
表示手段の表示画面上で第１の処理受付部に対する操作を受け付けた場合、当該第１の処理受付部について登録されている処理の内容を確認画面に表示し、当該確認画面上で実行指示を受け付けることを条件に当該登録されている処理を実行する機能と、
前記表示手段の表示画面上で第２の処理受付部に対する操作を受け付けた場合、前記実行指示を必要とすることなく、当該第２の処理受付部について登録されている処理を実行する機能と、
前記第２の処理受付部に対する操作を受け付けた場合でも、当該第２の処理受付部に対する前記処理の登録後に当該処理に影響を与える変更があり、当該変更が実行前の確認を必要とするときには、当該第２の処理受付部について登録されている前記処理の内容を表示する確認画面上で実行指示を受け付けるまで、当該第２の処理受付部について登録されている当該処理を実行しない機能と
を実現させるためのプログラム。
【発明の詳細な説明】
【技術分野】
【０００１】
本発明は、処理装置およびプログラムに関する。
【背景技術】
【０００２】
従来、記録紙の配布先がコピー用宛先としてワンタッチボタンのそれぞれに対応してメモリに登録しておくことで、コピーの操作を行うに際して、ユーザが、配布しようとするコピー用宛先ごとのワンタッチボタンを全て押した後にスタートボタンを押すことで、コピーの部数を指定することなく、配布先の数に対応した部数の記録紙が自動的に出力される画像読取記録装置がある（例えば、特許文献１参照）。
【先行技術文献】
【特許文献】
【０００３】
【特許文献１】特開２０００−２４４６８８号公報
【発明の概要】
【発明が解決しようとする課題】
【０００４】
本発明は、処理受付部を作成するにあたり、処理への指示を受け付けた場合の動作の種類が一つしか選択できない場合に比べ、使用者の意図に応じた処理の実行動作をする処理受付部を作成することができる処理装置およびプログラムを提供することを目的とする。
【課題を解決するための手段】
【０００５】
請求項１に記載の発明は、指示操作に応じて処理を実行する処理手段と、表示手段と、を有し、前記処理手段は、前記表示手段の表示画面上で第１の処理受付部に対する操作を受け付けた場合、当該第１の処理受付部について登録されている処理の内容を確認画面に表示し、当該確認画面上で実行指示を受け付けることを条件に当該登録されている処理を実行し、前記表示手段の表示画面上で第２の処理受付部に対する操作を受け付けた場合、前記実行指示を必要とすることなく、当該第２の処理受付部について登録されている処理を実行し、前記第２の処理受付部に対する操作を受け付けた場合でも、当該第２の処理受付部に対する前記処理の登録後に当該処理に影響を与える変更があり、当該変更が実行前の確認を必要とするときには、当該第２の処理受付部について登録されている前記処理の内容を表示する確認画面上で実行指示を受け付けるまで、当該第２の処理受付部について登録されている当該処理を実行しないことを特徴とする処理装置である。
請求項２に記載の発明は、コンピュータに、表示手段の表示画面上で第１の処理受付部に対する操作を受け付けた場合、当該第１の処理受付部について登録されている処理の内容を確認画面に表示し、当該確認画面上で実行指示を受け付けることを条件に当該登録されている処理を実行する機能と、前記表示手段の表示画面上で第２の処理受付部に対する操作を受け付けた場合、前記実行指示を必要とすることなく、当該第２の処理受付部について登録されている処理を実行する機能と、前記第２の処理受付部に対する操作を受け付けた場合でも、当該第２の処理受付部に対する前記処理の登録後に当該処理に影響を与える変更があり、当該変更が実行前の確認を必要とするときには、当該第２の処理受付部について登録されている前記処理の内容を表示する確認画面上で実行指示を受け付けるまで、当該第２の処理受付部について登録されている当該処理を実行しない機能とを実現させるためのプログラムである。 
【発明の効果】
【０００６】
請求項１に係る発明によれば、全ての処理について第２の処理受付部の作成を許可する場合に比べ、一部の処理について、誤って処理が実行されることを抑制することができる。
請求項２に係る発明によれば、全ての処理について第２の処理受付部の作成を許可する場合に比べ、一部の処理について、誤って処理が実行されることを抑制することができる。 
【図面の簡単な説明】
【０００７】
【図１】本発明の実施の形態１に係る画像形成装置のハードウェア構成を例示したブロック図である。
【図２】表示部における表示例を示した図である。
【図３】図２にて示したホーム画面上の選択用ボタン「コピー」がユーザにより選択された後の表示画面の一例を示した図である。
【図４】表示部における表示例を示した図である。
【図５】図２にて示したホーム画面上の選択用ボタン「ボックス保存」が選択された際の表示画面の一例を示した図である。
【図６】第２タブが選択された際の表示画面の一例を示した図であり、（Ａ）はボックス保存に際して設定可能な他の設定項目、（Ｂ）はファイル名入力用の表示画面をそれぞれ示す図である。
【図７】選択用ボタン「個人プリント」が選択された後の表示画面の一例を示した図である。
【図８】ファイルが選択された後の表示画面の一例を示した図である。
【図９】ワンタッチ選択用ボタンをユーザが作成する際の表示画面の一例を示した図であり、（Ａ）はメール送信時の画面、（Ｂ）はワンタッチ選択用ボタン作成画面、（Ｃ）はワンタッチ選択用ボタンがホーム画面に表示された状態、をそれぞれ示す図である。
【図１０】ワンタッチ選択用ボタンの一覧の一例を示した図である。
【図１１】ワンタッチ選択用ボタンを作成する際に、制御部により実行される処理の一例を示したフローチャートである。
【図１２】ワンタッチ選択用ボタンを作成する際に表示部に表示される作成画面を示した図である。
【図１３】作成されたワンタッチ選択用ボタンが表示されたホーム画面を示す図である。
【図１４】ワンタッチ選択用ボタンが実行される際に、制御部により実行される処理の一例を示したフローチャートである。
【発明を実施するための形態】
【０００８】
以下、添付図面を参照して、本発明の実施の形態について説明する。
図１は、本発明の実施の形態に係る画像形成装置１０のハードウェア構成を例示したブロック図である。本実施の形態の画像形成装置１０には、制御部１００、記憶部１０５、表示部１０７、画像読取部１０８、画像形成部１０９、通信部１１０および画像処理部１１１が設けられている。なお、これらの各機能部は、バス１０１に接続されており、このバス１０１を介してデータの授受を行う。
【０００９】
制御部１００は、画像形成装置１０に設けられた上記各機能部の制御を行う。ここで、制御部１００は、ＣＰＵ（Central Processing Unit）１０２、ＲＯＭ（Read Only Memory）１０３およびＲＡＭ（Random Access Memory）１０４により構成されている。ＲＯＭ１０３は、ＣＰＵ１０２により実行される制御プログラムを記憶している。ＣＰＵ１０２は、ＲＯＭ１０３に記憶されている制御プログラムを読み出し、ＲＡＭ１０４を作業エリアにして制御プログラムを実行する。
ＣＰＵ１０２により制御プログラムが実行されると、画像形成装置１０の各機能部である記憶部１０５、表示部１０７、画像読取部１０８、画像形成部１０９、通信部１１０および画像処理部１１１が制御される。これにより、例えば、表示部１０７に予め定められた表示がなされ、また、記録媒体である例えば用紙への画像の形成が行われる。また、画像読取部１０８にセットされた原稿の読み取りなどが行われる。制御部１００は、処理手段、作成手段および実行部の一例である。
【００１０】
なお、ＣＰＵ１０２によって実行されるプログラムは、磁気記録媒体（磁気テープ、磁気ディスクなど）、光記録媒体（光ディスクなど）、光磁気記録媒体、半導体メモリなどのコンピュータが読取可能な記録媒体に記憶した状態で提供し得る。また、このプログラムは、インターネットなどの通信手段を用いて画像形成装置１０等にダウンロードさせてもよい。
【００１１】
表示部１０７は、例えば液晶のタッチパネルディスプレイにより構成され、制御部１００の制御の下、例えば画像形成装置１０に関するデータを表示する。また、表示部１０７は、ユーザからの操作を受け付けるための表示画面を表示し、この表示画面を介し、ユーザからの操作を受け付ける。なお、表示画面は、ユーザを識別する情報の入力により、そのユーザ用の表示画面が表示される。
ユーザを識別する情報の入力としては、例えば、ユーザごとに割り当てられた識別番号（ＩＤ（Identification）番号）が記録され、ユーザがそれぞれ所有するＩＤカードを、図示しない例えばＩＤカード読み取り機にかざすことで、ＩＤカード読み取り機によりＩＤカードに記録されたＩＤ番号を読み取る方式や、ユーザごとに登録された識別番号やパスワードをユーザ自身が表示画面に入力する方式などを適用することができる。なお、他の方式でユーザを識別する情報を入力してもよい。また、表示部１０７は、後述するワンタッチ選択用ボタン２１や選択用ボタン２１等もその表示画面の表示領域に表示する。
【００１２】
画像読取部１０８は、文書を読み取り、その読み取って得られた文書の画像を表す画像データを生成する画像読取装置（スキャナ装置）を備えており、生成した画像データを画像処理部１１１へ出力する。
画像形成部１０９は、電子写真方式等によって記録媒体である例えば用紙に対して画像データに応じたトナー像を形成する画像形成機構を備えている。通信部１１０は、図示しない通信回線に接続されており、通信回線に接続されている他の装置と通信を行う通信インターフェースとして機能する。画像処理部１１１は、入力される画像データに対して色補正や階調補正等の画像処理を施すものであり、画像処理が施された画像データを生成して画像形成部１０９へ出力する。記憶部１０５は、ハードディスク装置などの記憶装置を具備しており、例えば通信部１１０で受信したデータや画像形成装置１０で生成されたデータ等を記憶する。
【００１３】
図２は、表示部１０７における表示例を示した図である。表示部１０７には、ユーザを識別する情報の入力により、そのユーザ用に登録された表示画面の一例として、同図に示すホーム画面が表示されている。図示のホーム画面は、表示画面の左上部分に、「Taro Fuji」と表示されているが、これは、識別されたユーザである「Taro Fuji」用の表示画面である。
このホーム画面には、アイコンで表された複数の選択用ボタン２１が表示されており、これらの選択用ボタン２１のいずれかがユーザにより選択（タッチパネルの押圧）されることで、選択用ボタン２１に関連付けられている処理の指示を受け付け、処理に対応した機能が実行される。選択用ボタン２１は、処理受付部の一例である。
【００１４】
具体的には、図２に示したホーム画面には、「コピー」、「ボックス保存」、「ＩＤカードコピー」、「メディアアクセス」、「メール」、「プリント」、「ＰＣ保存」および「ファックス」という処理の種別にそれぞれ対応した選択用ボタン２１が表示されている。本実施の形態では、これらの選択用ボタン２１のうちいずれかがユーザにより選択されると、選択された選択用ボタン２１に対応する処理の、詳細な設定、確認を行うための画面がさらに表示される。その後、スタートボタン等の予め定められたボタンがユーザにより押圧されることで、コピーなどの処理が開始される。
【００１５】
本実施の形態のホーム画面は、複数のページにより構成されており、図２にて示す表示画面のうちの選択用ボタン２１以外の所謂「地」の部分（背景の部分）をユーザが指で押しながら、この「地」の部分を図中左方向に押し出す操作を入力することで、表示画面が他のページの表示画面に切り替わるように、制御部１００によって制御されている。すなわち、本実施の形態では、いわゆるフリック操作によって、ホーム画面のページの切り替えを行えるようになっている。ページの切り替えが行われると、フリック操作の前のページでは現われていなかった他の選択用ボタン２１が現れるようになる。
また、本実施の形態の表示部１０７では、選択用ボタン２１の各々を、操作によって移動できるようになっている。具体的には、ユーザが選択用ボタン２１を指で押した状態で、この指を移動させることで、選択用ボタン２１を移動させることができるようになっている。すなわち、本実施の形態では、ドラッグアンドドロップの操作によって、選択用ボタン２１の移動が行われるようになっている。
本実施の形態では、選択用ボタン２１を予め定められた時間以上押し続け、あるいは、選択用ボタン２１のいずれかが選択されている状態にて、画面の右上に位置する歯車状の記号（符号２Ａで示す記号）を押すと、表示画面が切り替わり、この選択用ボタン２１に関連付けられている処理の詳細な設定を行えるようになる。
【００１６】
図３は、図２にて示した「コピー」の選択用ボタン２１がユーザにより選択（押圧）された後の表示画面を示した図である。この表示画面では、符号３Ａ、３Ｂで示すように、２つのタブ（以下、「第１タブ３Ａ」、「第２タブ３Ｂ」と称する）が設けられた構成となっている。このようにタブが２つだけであると、２つのうちいずれか一方のタブには、ユーザが必要とするボタン（操作しようとするボタン）が存在することになる。
つまり、表示されている側のタブには、ユーザが必要とするボタン（操作しようとするボタン）が存在しない場合であっても、他方のタブに移動すれば、その移動先のタブには、ユーザが必要とするボタンが必ず存在することとなる。したがって、タブが４つ、５つなどというように３つ以上ある場合に比べて、ユーザは、必要とするボタン（操作しようとするボタン）が存在するタブを選択するまでのタブの移動の回数を減らすことができる。すなわち、タブが数多くあると、どのタブにどの機能が入っているかを把握しづらくなるが、本実施の形態のようにタブが２つだけであると、必要とする機能がいずれのタブに存在するかを把握し易くなる。
【００１７】
ここで、第１タブ３Ａが選択されている状態では、図３に示すように、「両面／片面/製本」、「コピー部数」、「Ｎアップ数（１ページへの集約ページ数）」、「倍率」、「カラーモード」、「用紙選択」、「ホチキス」などの設定項目が表示される。すなわち、本実施の形態では、第１タブ３Ａが選択されている際の表示画面では、ユーザによって変更される頻度が相対的に高いと思われる設定項目が表示されるようになっている。一方、変更される頻度が相対的に低いと思われる設定項目は、図４（表示部１０７における表示例を示した図）に示すように、第２タブ３Ｂが選択された際の表示画面に表示される。
図４に示す表示画面では、各設定項目（ユーザが設定を行う各項目）が、画面の縦方向に並べられて表示されている。すなわち、各設定項目はリスト形式で表示されている。なお、図４に示す表示画面では、図中下方向にスクロールすることで、隠れている設定項目も表示されるようになる。
【００１８】
ここで、第２タブ３Ｂが選択された際の表示画面では、一つの方向（図中、下方向）に、スクロールすることで他の設定項目も表示される。これにより、ユーザは、自身が探している設定項目を見つけ易くなる。例えば、各設定項目をボタン形式で表示するとともに格子状に並べて配置することも考えられるが、この場合、ユーザは、視線を上下方向だけでなく左右方向にも移動させる必要がある。
一方、本実施の形態は、一方向（上下方向）にスクロールさせて設定項目を表示するため視線の移動方向が一方向となる。したがって、本実施の形態は、視線の移動方向が二方向の場合よりも視線の移動方向を限定することができる。
【００１９】
図５は、図２にて示したホーム画面上の「ボックス保存」がユーザにより選択された際の表示画面を示した図である。ホーム画面上の「ボックス保存」がユーザにより選択されると、図５に示すように、ユーザ名が付された選択用ボタン２１が複数表示された表示画面に切り替わる。この表示画面では、「コピー」の選択用ボタン２１がユーザにより選択されたとき（図３，４参照）と同様に、２つのタブ（以下、「第１タブ５Ａ」、「第２タブ５Ｂ」と称する）が設けられた構成となっている。なお、図５は、第１タブ５Ａが選択されている状態を示している。
また、本実施の形態では、「ボックス保存」がユーザにより選択されて表示画面が切り替わると、最初に第１タブ５Ａに対応した表示画面が表示されるようになっている。そして、本実施の形態では、第１タブ５Ａに対応した表示画面が表示されている状態で、ユーザにより第２タブ５Ｂが選択されることで、第２タブ５Ｂに対応した表示画面が表示される。
【００２０】
ここで、ボックス保存とは、画像読取部１０８（図１参照）を用いて原稿を読み取ることにより生成された画像データを、記憶部１０５に設定されたボックスに格納する処理をいう。この際、図５にて示されている選択用ボタン２１のいずれかがユーザにより選択されることで、画像データの保存先が指定され、この指定された保存先に画像データが格納される。
なお、この保存先の選択がなされるまでは、図５にて表示されている各選択用ボタン２１はいずれも選択されていないオフ状態（「地」の色と略同じ色）となっている。そして、保存先の選択がなされると、選択された選択用ボタン２１が選択されたオン状態となって、地の色が他の色に切り替わり、オン状態であることをユーザに識別させる。また、図５に示す表示画面では、画面の最下部に、ユーザによって変更される頻度の高い設定項目（「カラーモード」、「原稿の送りモード」、「読み取り解像度」）を表示している。これらの設定項目については、画面の切り替えを行わずに（第２タブ５Ｂを選択せずに）、その内容を変更できるようになっている。
【００２１】
図６は、第２タブ５Ｂが選択された際の表示画面を示した図である。図６（Ａ）に示すように、第２タブ５Ｂが選択された場合には、ボックス保存に際して設定可能な他の設定項目が表示される。なお、この場合も、上記と同様の各々の設定項目はリスト形式で表示される。ここで、本実施の形態では、画像読取部１０８にて読み取りを行う原稿毎に、ファイル名を付けられるようになっている。
また、本実施の形態では、図６（Ａ）における「ファイル名」の設定項目が選択されると、同図（Ｂ）に示すように、ファイル名入力用の表示画面が表示される。本実施の形態では、この表示画面を介し、ユーザは、希望するファイル名を入力する。
【００２２】
次に、個人プリントについて説明する。個人プリントでは、ユーザが有するＰＣ（Personal Computer）などにて生成された画像データが、画像形成装置１０に送信され、画像形成装置１０の記憶部１０５（図１参照）に一旦記憶される。そして、ユーザが表示部１０７を介して開始指示を入力することで、用紙等への画像形成が開始される。
個人プリントでは、ユーザが画像形成装置１０の傍にいる状態にて画像形成がなされるため、ユーザは、印刷物が印刷された直後にこの印刷物を取得できるようになる。かかる場合、このユーザ以外の他の者が、この印刷物を取得することが起きにくくなる。個人プリントが行われる際には、図２にて示したホーム画面が操作され、「個人プリント」の選択用ボタン（図２では不図示）がユーザにより選択される。そして、この「個人プリント」の選択用ボタンが選択されると、図７（「個人プリント」が選択された後の表示画面を示した図）に示す表示画面に切り替わる。
【００２３】
ここで、図７にて示す、切り替え後の表示画面では、記憶部１０５に記録されている複数の画像データ（印刷ジョブ）のファイル名がリスト形式で表示される。すなわち、表示部１０７には、縦方向に並べられた状態でファイル名の各々が表示される。また、ファイル名の図中左横には、印刷後の用紙の状態を示すプレビュー画面が表示される。
図７にて示した複数のファイルのうちの一つが選択されると、図８（ファイルが選択された後の表示画面を示した図）に示す画面に切り替わる。この表示画面では、画面の下半分に設定項目が表示される。具体的には、この例では、「プリント部数」、「カラーモード」、「両面印刷の有無」の３つの設定項目が表示される。
【００２４】
さらに、表示画面の右上にはファイル名が表示され、表示画面の左上には印刷後の用紙の状態を示すプレビュー画面が表示される。なお、本実施の形態では、この図８に示す表示画面にて、上記３つの設定項目の各々を変更できるようになっているとともに、変更を行うと、この変更に応じて、プレビュー画面も変化する。すなわち、本実施の形態では、設定項目の変更に応じて、プレビュー画面が動的に変化する。
ここで、本実施の形態では、このように、ファイルがリスト形式で表示され、次いで、ユーザが印刷を希望するファイルを選択する。そして、この選ばれたファイルについて印刷がなされる。
なお、図示は省略するが、本実施の形態では、「個人一括プリント」という選択用ボタン２１もホーム画面上に用意されている。この選択用ボタン２１が押圧されると、未出力の蓄積文書（ファイル）が一括で印刷される。すなわち、本実施の形態では、個人プリントに関し、「個人プリント（リスト表示）」、「個人一括プリント」の２種類の選択用ボタン２１が用意されている。
【００２５】
ところで、本実施の形態の画像形成装置１０では、既に用意されている選択用ボタン２１の他に、制御部１００の制御により、新たな選択用ボタン２１をユーザが作成できるようになっている。例えば、ユーザが頻繁に行う処理を、送信宛先やコピー枚数等のパラメータなどを設定して新たな選択用ボタン２１として登録しておくことができる。それらの登録された選択用ボタン２１をユーザが選択（押下）することによって、登録した処理の内容を呼び出すことができ、処理の度に行っていたパラメータなどの詳細を設定する操作を省くことができる。
このようにユーザによって新たに作成、登録された選択用ボタン２１を、以下、「ワンタッチ選択用ボタン２１」という。本実施の形態では、後述するように、ワンタッチ選択用ボタン２１として、第２の処理受付部の一例としてのダイレクトスタートのワンタッチ選択用ボタン２１と、第１の処理受付部の一例としての非ダイレクトスタートのワンタッチ選択用ボタン２１とを作成することができる。
【００２６】
ダイレクトスタートのワンタッチ選択用ボタン２１は、ユーザがワンタッチ選択用ボタン２１の選択を行うだけで、そのワンタッチ選択用ボタン２１に関連付けられた処理の指示を受け付けた後、さらなる指示を受け付けずに処理が開始されるものである。すなわち、このワンタッチ選択用ボタン２１は、ユーザが選択した後は、ユーザに対して処理の開始の確認を求めることなく、ユーザの選択操作がそのまま処理の開始の操作となる。
一方、非ダイレクトスタートのワンタッチ選択用ボタン２１は、ユーザがワンタッチ選択用ボタン２１の選択を行うと、制御部１００が、関連付けられた処理の指示を受け付けた後、その処理の開始に先立って、ワンタッチ選択用ボタン２１に設定されたパラメータなどをユーザに提示する。そして、ユーザが、提示されたパラメータなどの確認等を行った後に、処理の開始の操作の入力を行うことで、さらなる指示を受け付けた後、処理が開始されるものである。非ダイレクトスタートのワンタッチ選択用ボタン２１を、以下、「確認画面を表示するワンタッチ選択用ボタン２１」ともいう。
【００２７】
確認画面を表示するワンタッチ選択用ボタン２１は、その選択によって表示される確認等のための画面において、ユーザは処理の開始の入力を行う選択の他に、処理の取り消しの入力を行う選択も可能である。処理の取り消しの入力を行った場合は、選択されたワンタッチ選択用ボタン２１に関連付けられた処理は実行されない。
ここで、ワンタッチ選択用ボタン２１をユーザが作成する際の表示画面の変化を、図９を参照して説明する。なお、図９は表示画面の変化の概略を示すものである。
【００２８】
まず、ホーム画面にて処理の種別としてユーザが「メール」の選択用ボタン２１を選択すると、この「メール」の処理の詳細の設定を受け付ける画面として図９（Ａ）に示すものが表示される。そして、この画面の右上に位置する歯車状の記号（符号９Ａで示す記号）がユーザにより押圧される。
この詳細設定の受付状態の表示画面で歯車状の記号９Ａが押圧されると、制御部１００の制御により、図９（Ｂ）に示す、ワンタッチ選択用ボタン２１の作成画面が表示される。図９（Ｂ）の作成画面では、ワンタッチ選択用ボタン２１の作成にあたって必要となる情報（パラメータ等）がユーザにより入力される。具体的には、ワンタッチ選択用ボタン２１の名称として、「名前（１行目）」、「名前（２行目）」がユーザにより入力される。
本実施の形態のワンタッチ選択用ボタン２１の名称は、２行の名前で表示される。「名前（１行目）」は、２行のうちの上の行に表示される名前を示し、「名前（２行目）」は、２行のうちの下の行に表示される名前を示している。
【００２９】
また、図９（Ｂ）に示す作成画面には、ワンタッチ選択用ボタン２１がホーム画面に表示されたときのアイコンとなる図柄も表示される。この図柄は、図柄の変更を行う処理が関連付けられているボタン９Ｂがユーザによって押圧されることにより変更され得る。すなわち、このボタン９Ｂがユーザにより押圧されると、図１０に示す画面（ワンタッチ選択用ボタン２１の図柄の一覧を示した画面）が表示される。ユーザが、この画面に表示された図柄の一覧から一つのワンタッチ選択用ボタン２１としての図柄を選ぶことで、このワンタッチ選択用ボタン２１に選ばれた図柄がアイコンとして登録される。
【００３０】
さらに、図９（Ｂ）に示す作成画面には、ワンタッチ選択用ボタン２１をダイレクトスタートのワンタッチ選択用ボタン２１とするか、または確認画面を表示するワンタッチ選択用ボタン２１とするかの別を設定するダイレクトスタートのスライドボタンもあるが、この点については後述する。なお、図９（Ｂ）に示す作成画面では、ワンタッチ選択用ボタン２１をダイレクトスタートに「しない」設定になっている。
また、本実施の形態では、ユーザは、説明文を登録できるようになっており、説明文の登録を行いたいユーザは、図９（Ｂ）にて示す作成画面の下部に位置するボックス内に、説明文を入力する。
【００３１】
図９（Ｂ）に示す作成画面に対するユーザの入力が終了すると、図中右上に位置する「作成」というボタンがユーザにより押圧される。これにより、制御部１００の制御によって、表示部１０７の表示が図９（Ｃ）に示す画面（ホーム画面）に切り替わり、この表示画面に、「ワンタッチメール送信」という名称が付されたワンタッチ選択用ボタン２１が追加される。
ここでは、非ダイレクトスタートのワンタッチ選択用ボタン２１を作成する際の処理を説明したが、本実施の形態において、この確認画面を表示させるワンタッチ選択用ボタン２１の選択によって確認画面を表示させた後に処理を開始させるためのスタートボタンは、表示画面に表示される形式のものではなく、画像形成装置１０の他の箇所にハードウェアのボタン（不図示）として配置されている。
【００３２】
また、本実施の形態では、ダイレクトスタートのスライドボタンを操作することで、ダイレクトスタートのワンタッチ選択用ボタン２１を作成できる場合もあるが、詳細は後述する。そして、作成されたダイレクトスタートのワンタッチ選択用ボタン２１は、ホーム画面に表示されたとき、ダイレクトスタートのワンタッチ選択用ボタン２１以外の選択用ボタン（確認画面を表示させるワンタッチ選択用ボタン２１や通常の選択用ボタン２１など）と識別できるようになっている。
つまり、ダイレクトスタートのワンタッチ選択用ボタン２１がホーム画面に表示されたときの図柄には、例えば後述する図１３に示す菱形のマーク９Ｅが付加される。この菱形のマーク９Ｅは、画像形成装置１０に設けられたハードウェアのスタートボタン（各機能に応じた処理の開始をユーザが押下することで指示するボタン）に付されたマークを模したものであり、このマーク９Ｅが付加されたワンタッチ選択用ボタン２１は、選択されることで、スタートボタンが押下されること、すなわち処理が開始されることをユーザに連想させ易い。なお、本実施の形態では、画像形成装置１０における表示処理について説明したが、この表示処理は、画像形成装置１０以外の装置（例えばタブレット端末などの装置）でも同様に行うことができる。
【００３３】
続いて、ワンタッチ選択用ボタン２１を作成する場合の処理について、より詳細に説明する。図１１は、ワンタッチ選択用ボタン２１を作成する際に、制御部１００（図１参照）により実行される処理について示したフローチャートである。また、図１２は、ワンタッチ選択用ボタン２１を作成する際に表示部１０７に表示される表示画面を示した図である。この例では、ファックス送信機能に係る選択用ボタン２１を作成する場合を例に挙げて説明する。
図１１に示すように、新たに選択用ボタン２１の作成を行うに際して、制御部１００は、まずユーザから新たに作成する選択用ボタン２１に関連付ける機能（処理）についての入力を受け付ける（ステップ１０１（Ｓ１０１））。具体的には、新たに選択用ボタン２１を作成する際には、ユーザは、上述の図２に示したホーム画面にて、新たに作成する選択用ボタン２１に関連付ける機能を表す選択用ボタン２１を選択（押圧）する。この例では、ユーザは、まず図２に示した、そのユーザ用のホーム画面にて、「ファックス」の選択用ボタン２１を選択する。
【００３４】
ホーム画面にて選択用ボタン２１がユーザにより押された（選択された）場合、制御部１００により、図３〜図６に示した、選択された選択用ボタン２１に関連付けられた機能についての詳細設定を行う画面が、表示部１０７に表示される。この例において、ユーザにより「ファックス」の選択用ボタン２１が選択された場合にも、制御部１００により、同様に、ファックス機能についての詳細設定を行う画面が表示部１０７に表示される。
すなわち、詳細な説明は省略するが、ファックス機能についての設定を行う画面についても、第１タブと第２タブとが設けられた構成となっている。第１タブには、ユーザによって変更される頻度が高い設定項目が表示され、第２タブには、全ての設定項目がリスト形式で表示される構成となっている。これら第１タブと第２タブとの構成は、図３および図４に示したコピー機能についての設定を行う画面や、図５および図６に示したボックス保存機能についての設定を行う画面と同様である。
【００３５】
そして、ユーザは、表示部１０７に表示された画面を用いて、新たに作成する選択用ボタン２１に関連付ける機能について、各項目の設定を行い、制御部１００は、それらの設定を受け付け（ステップ１０２）、受け付けられた設定内容を記憶部１０５に記憶させる（ステップ１０３）。ファックス機能が選択されている本実施の形態の場合、ユーザは、例えば、「送信先」、「画質」および「倍率」等の詳細設定を行う。
処理の種別としてコピー機能が選択されている場合には、ユーザは、例えば「両面／片面／製本」、「コピー部数」、「Ｎアップ数（１ページへの集約ページ数）」、「倍率」および「カラーモード」等の詳細設定を行う。また、ボックス保存機能が選択されている場合には、ユーザは、例えば「カラーモード」、「原稿の送りモード」および「読み取り解像度」等の詳細設定を行う。
なお、詳細設定の項目である「送信先」については、一つのワンタッチ選択用ボタン２１を作成するに際して、１つまたは複数の送信先を設定することが可能であるが、この例においては、ユーザにより１つの送信先が設定されたものとする。
【００３６】
続いて、制御部１００は、ワンタッチ選択用ボタン２１の作成を開始するためのボタン（図９（Ａ）で示した歯車状の記号９Ａと同じボタン；以下、作成開始ボタン９Ａと称する。）がユーザにより選択されたか否かを判断する（ステップ１０４）。なお、作成開始ボタン９Ａが選択されない場合（ステップ１０４でＮＯ）、制御部１００は、作成開始ボタン９Ａが選択されるまで詳細設定を受け付け（ステップ１０２）、受け付けられた詳細設定の情報を記憶部１０５に記憶する（ステップ１０３）。
次いで、作成開始ボタン９Ａが選択されたと制御部１００が判断した場合（ステップ１０４でＹＥＳ）、制御部１００は、新たに作成するワンタッチ選択用ボタン２１の設定内容を確認し変更するための表示画面（以下、ワンタッチ選択用ボタン作成画面または単に作成画面とよぶ）を表示部１０７に表示させる（ステップ１０６，ステップ１１２）。
具体的には、制御部１００は、ステップ１０１にてユーザにより入力された新たに作成するワンタッチ選択用ボタン２１に関連付ける機能（詳細設定の情報を含む）に対応する作成画面を、表示部１０７に表示させる。この例では、図１２に示すように、制御部１００は、ステップ１０１にて選択されたファックス機能に対応する作成画面を表示部１０７に表示させる。
【００３７】
表示部１０７に表示させる作成画面としては、ダイレクトスタートのワンタッチ選択用ボタン２１の作成を許可する作成画面と、ダイレクトスタートのワンタッチ選択用ボタン２１の作成を禁止し、非ダイレクトスタートのワンタッチ選択用ボタン２１の作成だけを許容する作成画面との２種類がある。制御部１００は、ステップ１０１で選択された処理の種別およびステップ１０２にて受け付けられステップ１０３にて記憶部１０５に記憶された詳細設定の内容に応じて、これら２種類の作成画面のうちいずれかを表示部１０７に表示させる（ステップ１０５，ステップ１０６，ステップ１１２）。
具体的には、記憶部１０５に記憶された処理の内容が予め設定された条件を満たすとき（ステップ１０５にてＹＥＳ）は、ダイレクトスタートのワンタッチ選択用ボタン２１の作成を許可する作成画面を表示部１０７に表示する（ステップ１０６）。一方、記憶部１０５に記憶された処理の内容が予め設定された条件を満たさないとき（ステップ１０５にてＮＯ）は、ダイレクトスタートのワンタッチ選択用ボタン２１の作成を禁止し、非ダイレクトスタートのワンタッチ選択用ボタン２１の作成だけを許可する作成画面を表示部１０７に表示する（ステップ１１２）。
【００３８】
ここで、ワンタッチ選択用ボタン２１がダイレクトスタートである場合、そのワンタッチ選択用ボタン２１が誤って選択されて、関連付けられた処理が不用意に実行されると、その処理の内容によっては、誤りの影響が大きいものがある。そこで、本実施の形態では、制御部１００がワンタッチ選択用ボタン２１の作成に際して、制御部１００は、その作成されるワンタッチ選択用ボタン２１に関連付けられた処理の内容に応じて、ダイレクトスタートのワンタッチ選択用ボタン２１を作成するか確認画面を表示するワンタッチ選択用ボタン２１を作成するかを切り替える。
具体的には、不用意に実行された場合に、その影響が大きいと考えられる処理の内容に対応するパラメータ等の条件を予め設定し、制御プログラムにその条件を組み込んでおいたり、あるいは、記憶部１０５などにその条件を記憶させておいたりする。そして、制御部１００が、ワンタッチ選択用ボタン２１を作成する際に、ワンタッチ選択用ボタン２１に関連付けられた処理の内容（ステップ１０２で受け付けされ、ステップ１０３で記憶された設定の内容や処理の種別など）を、上述した予め設定された条件（影響が大きいと考えられる処理の内容に対応して予め設定された条件）と照合する。
【００３９】
そして、この照合の結果、ワンタッチ選択用ボタン２１に関連付けられた処理の内容が、予め設定された条件を満たす場合は、その関連付けられた処理は、誤った実行により影響が大きい処理である。この場合、ワンタッチ選択用ボタン２１に関連付けられた処理は、ワンタッチ選択用ボタン２１の選択によりそのまま不用意に開始されるべきではなく、処理の開始に先立って確認画面を表示し、ユーザによる処理の開始の操作が求められる。したがって、この場合、制御部１００は、この処理は確認画面の表示なしでそのまま実行することはできないと判定する（ステップ１０５にてＮＯ）。そして、表示部１０７には、制御部１００の制御により、ダイレクトスタートのワンタッチ選択用ボタン２１の作成を禁止し、非ダイレクトスタートのワンタッチ選択用ボタン２１だけを作成する作成画面が表示される（ステップ１１２）。
【００４０】
一方、照合の結果、ワンタッチ選択用ボタン２１に関連付けられた処理の内容が、予め設定された条件を満たさない場合は、その関連付けられた処理は、誤った実行により影響が大きい処理ではない。この場合、ワンタッチ選択用ボタン２１に関連付けられた処理は、ワンタッチ選択用ボタン２１の選択により処理がそのまま開始されてもよい。したがって、この場合、制御部１００は、この処理は確認なしで実行することができると判定する（ステップ１０５にてＹＥＳ）。そして、表示部１０７には、制御部１００の制御により、ダイレクトスタートのワンタッチ選択用ボタン２１の作成を許容する作成画面が表示される（ステップ１０６）。
【００４１】
なお、ステップ１０５において、処理の内容と照合される、予め設定された条件としては、例えば、処理の種別（「コピー」、「ボックス保存」、「ＩＤカードコピー」、「メディアアクセス」、「メール」、「プリント」、「ＰＣ保存」（または「ボックス保存」）、「ファックス」などの別）、処理の出力に関するパラメータ（出力先が社外か否か）および処理に用いられる処理装置以外の資源の量（出力によって消費される記録用紙等の枚数や出力部数、ボックス保存で消費されるメモリの容量、ボックスに保存されたデータを他へ自動的に転送するなどの自動実行処理が設定されている状態、自動実行スキャナによる読み取りの解像度に応じて使用されるメモリの容量など）のうち少なくとも一つによって規定される。
【００４２】
より具体的には、例えば処理の種別「ファックス」は、上記条件として設定されている。したがって、ワンタッチ選択用ボタン２１に関連付けられている処理が「ファックス」の場合は、制御部１００は、ステップ１０５にてＮＯと判定し、非ダイレクトスタートのワンタッチ選択用ボタン２１を作成する画面を表示する（ステップ１１２）。同様に、例えば処理の種別「メール」、かつ処理の出力に関するパラメータとしての送信先が社外の場合も、上記条件として設定されている。したがって、ワンタッチ選択用ボタン２１に関連付けられている処理が「メール」かつ送信先が社外の場合は、制御部１００は、ステップ１０５にてＮＯと判定し、非ダイレクトスタートのワンタッチ選択用ボタン２１を作成する画面を表示する（ステップ１１２）。
【００４３】
また、例えば処理の種別「コピー」、かつ処理の出力に関するパラメータとしての出力部数「１０部以上」の場合も、上記条件として設定されている。したがって、ワンタッチ選択用ボタン２１に関連付けられている処理が「コピー」かつ出力部数「１０部以上」の場合は、制御部１００は、ステップ１０５にてＮＯと判定し、非ダイレクトスタートのワンタッチ選択用ボタン２１を作成する画面を表示する（ステップ１１２）。
また、例えば処理の種別「ボックス保存」、かつ処理に用いられる資源の量（データが保存されるボックスにデータを他へ自動的に転送するなどの自動実行処理が設定されている状態）の場合も、上記条件として設定されている。したがって、ワンタッチ選択用ボタン２１に関連付けられている処理が「コピー」かつ出力部数「１０部以上」の場合は、制御部１００は、ステップ１０５にてＮＯと判定し、非ダイレクトスタートのワンタッチ選択用ボタン２１を作成する画面を表示する（ステップ１１２）。
【００４４】
ここで示した条件は例示であり、上述したものに限定されるものではない。つまり、ワンタッチ選択用ボタン２１が誤って選択されて、関連付けられた処理が不用意に実行されると、誤りの影響が大きいものと考えられる処理に対応した条件であれば、上述した例示のもの以外のものも、予め設定された条件として設定され得る。
予め設定された条件は、固定されていてもよいし、変更できるようにしてもよい。変更できるようにする場合は、例えば、画像形成装置１０を管理する権限を有する者の指示によって設定するようにしてもよい。すなわち、画像形成装置１０を管理する権限を有する者が、画像形成装置１０に対してその権限によって許可された操作を行うことで、制御部１００に対して条件の書き換えの指示を与える。制御部１００はこの指示を受けて、記憶部１０５に記憶されている条件を読み出し、読み出された条件を表示部１０７に表示する。
【００４５】
管理の権限を有する者は、表示部１０７に表示された条件を表示画面上で書き換えの操作を行い、書き換えられた条件に更新する指示を表示部１０７に入力する。制御部１００は、表示部１０７に入力された更新の指示に従って、表示部１０７に入力された、書き換えられた条件を記憶部１０５に記憶させる。制御部１００は、以後、ステップ１０５における照合として、書き換えられた条件を用いる。
このように、作成されるワンタッチ選択用ボタン２１としてダイレクトスタートのワンタッチ選択用ボタン２１を選ぶことができるものとするか（ステップ１０６）、またはダイレクトスタートのワンタッチ選択用ボタン２１を選ぶことができないものとするか（ステップ１１２）を、処理の内容に応じて切り替える場合に、その処理の内容に対応する条件を、予め設定された権限を有する者（例えば、処理装置の管理者等）の指示に応じたものとすることができる。
【００４６】
制御部１００の制御により表示部１０７に表示される、ダイレクトスタートのワンタッチ選択用ボタン２１の作成を許容する作成画面（ステップ１０６）は、例えば図１２に示すものとなる。
続いて、制御部１００は、図１２に示した作成画面においてユーザによって入力された、新たに作成されるワンタッチ選択用ボタン２１に関する設定内容の変更等を受け付ける（ステップ１０７）。ワンタッチ選択用ボタン２１に関する設定内容については後述するが、ダイレクトスタートのワンタッチ選択用ボタン２１の作成を許可する作成画面には、ワンタッチ選択用ボタン２１に関する設定内容の１つとして、ワンタッチ選択用ボタン２１を、ダイレクトスタートのワンタッチ選択用ボタン２１とするか、または確認画面を表示するワンタッチ選択用ボタン２１とするか、の別を設定するためのダイレクトスタートボタン３４が設けられている。
【００４７】
ダイレクトスタートのワンタッチ選択用ボタン２１の作成を許可する作成画面（ステップ１０６）におけるダイレクトスタートボタン３４は、ダイレクトスタートを「する」か「しない」かの選択操作が可能となっている。すなわち、ダイレクトスタートボタン３４はアクティブになっていて、ユーザが、ダイレクトスタートボタン３４のつまみを左右にスライドさせることで、ワンタッチ選択用ボタン２１を、ダイレクトスタートに「する」か、またはダイレクトスタートに「しない」（確認画面を表示する）かの別を選択することができる。
なお、ダイレクトスタートボタン３４は、アクティブのとき、図１２の作成画面の「地」の色とは異なる色で表示されるように制御部１００により制御されている。このようにダイレクトスタートボタン３４がこのように「地」の色と異なる色で表示されることにより、ユーザに対して、ダイレクトスタートボタン３４がアクティブであることをひと目で認識させることができる。
【００４８】
そして、ユーザがダイレクトスタートボタン３４を「する」の側に設定した場合には、制御部１００は、ユーザの指示がダイレクトスタートであると判定し（ステップ１０８においてＹＥＳ）、「ダイレクトスタートのワンタッチ選択用ボタン２１」を作成することを決定する（ステップ１０９）。一方、ユーザが、ダイレクトスタートボタン３４を「しない」の側に設定した場合には、制御部１００は、ユーザの指示が非ダイレクトスタートであると判定し（ステップ１０８においてＮＯ）、「確認画面を表示するワンタッチ選択用ボタン２１」を作成することを決定する（ステップ１１４）。
なお、図１２においては、ダイレクトスタートボタン３４のつまみが左側にスライドされているため、「する」の表示が見えていて、「しない」の表示は隠れて見えないが、ダイレクトスタートボタン３４のつまみが右側にスライドされると、図９（Ｂ）と同様に、「する」の表示が隠れて見えなくなり、「しない」の表示は見える状態となる。そして、見えている状態の表示が、ユーザにより選択された指示となる。
【００４９】
制御部１００の制御により表示部１０７に表示される、非ダイレクトスタートのワンタッチ選択用ボタン２１だけを作成する作成画面（ステップ１１２）も同様に、例えば図１２に示すものとなる。制御部１００は、この作成画面においてユーザによって入力された、新たに作成されるワンタッチ選択用ボタン２１に関する設定内容の変更等を受け付ける（ステップ１１３）。ただし、非ダイレクトスタートのワンタッチ選択用ボタン２１だけを作成する作成画面（ステップ１１２）では、上述したダイレクトスタートボタン３４が、ダイレクトスタートを「しない」の側に固定されていて、ユーザによる選択操作を受け付けることはできない状態となっている。すなわち、ダイレクトスタートボタン３４は非アクティブになっていて、ユーザによる選択はできず、「確認画面を表示するワンタッチ選択用ボタン２１」を作成することが決定される（ステップ１１４）。
なお、ダイレクトスタートボタン３４は、非アクティブのとき、図１２の作成画面の「地」の色とは同じ色で表示されるように制御部１００により制御されている。このようにダイレクトスタートボタン３４がこのように「地」の色と同じ色で表示されることにより、ユーザに対して、ダイレクトスタートボタン３４が非アクティブであることをひと目で認識させることができる。
【００５０】
次に、制御部１００は、各作成画面に表示されワンタッチ選択用ボタン２１の作成を完了するための作成完了ボタン３８が、ユーザにより選択されたか否かを判断する（ステップ１１０）。なお、作成完了ボタン３８が選択されない場合（ステップ１１０でＮＯ）には、制御部１００は、作成完了ボタン３８が選択されるまで待機する。作成完了ボタン３８が押されたと判断した場合（ステップ１１０でＹＥＳ）には、制御部１００は、ステップ１０１、ステップ１０７、ステップ１０９、ステップ１１３、ステップ１１４にて入力を受け付けた情報および決定を、作成するワンタッチ選択用ボタン２１に関連付けられた情報として、記憶部１０５に記憶させる（ステップ１１１）。
以上により、制御部１００によるワンタッチ選択用ボタン２１の作成が終了する。
なお、ステップ１１０において、制御部１００が、作成完了ボタン３８が押されたと判断した場合、制御部１００は、表示部１０７の表示画面をユーザ用のホーム画面に切り替える。そして、上述した工程にて作成されたワンタッチ選択用ボタン２１は、制御部１００の制御により、このホーム画面上で、例えば図１３に示すように表示される。
【００５１】
続いて、ワンタッチ選択用ボタン作成画面の詳細について説明する。
ワンタッチ選択用ボタン作成画面には、制御部１００の制御により、ユーザがワンタッチ選択用ボタン２１の作成にあたって必要となる情報等をユーザが入力するためのボタンやボックス等が表示される。図１２に示すワンタッチ選択用ボタン作成画面は、名前ボックス３１（１行目３１Ａ、２行目３１Ｂ）、アイコン変更ボタン３２（図９（Ｂ）におけるボタン９Ｂに対応）、宛先表示選択ボタン３３、ダイレクトスタートボタン３４を有している。
名前ボックス３１は、作成するワンタッチ選択用ボタン２１の名前が入力されるボタンである。アイコン変更ボタン３２は、作成するワンタッチ選択用ボタン２１の図柄（アイコン）を変更するためのボタンである。宛先表示選択ボタン３３は、作成する選択用ボタン２１のアイコンに宛先を表示するか否かを選択するためのボタンである。ダイレクトスタートボタン３４は、作成するワンタッチ選択用ボタン２１をダイレクトスタートのワンタッチ選択用ボタン２１とするか、または確認画面を表示する選択用ボタン２１とするかをユーザが切り替えるためのスライド式のボタンである。
【００５２】
さらに、ワンタッチ選択用ボタン作成画面は、種別表示部３５、説明ボックス３６、プレビュー表示部３７、作成完了ボタン３８を有している。
種別表示部３５は、作成するワンタッチ選択用ボタン２１に関連付ける処理の機能の種別を表示するための部分である。説明ボックス３６は、作成するワンタッチ選択用ボタン２１に関する説明文を入力するためのボックスである。プレビュー表示部３７は、作成するワンタッチ選択用ボタン２１がホーム画面に表示される際の状態を表示するものである。作成完了ボタン３８は、ワンタッチ選択用ボタン２１の作成を完了するための指示を入力するボタンである。
【００５３】
ここで、名前ボックス３１は、上述したように、ワンタッチ選択用ボタン２１のアイコンとともに表示画面（ホーム画面）に表示する名前を入力するためのボックスであり、１行目３１Ａと２行目３１Ｂとの２つの行に分けられている。本実施の形態では、ステップ１０２にてユーザが作成開始ボタン９Ａを選択した際に表示部１０７に始めに表示されるデフォルト状態で、名前ボックス３１に、制御部１００の制御によって、ステップ１０１にて入力された機能に関連する名前が予め入力されている。この例では、ステップ１０１にて入力されたファックス機能に対応して、名前ボックス３１の１行目３１Ａに「ワンタッチ」と入力され、２行目３１Ｂに「ファックス送信」と入力されている。
【００５４】
本実施の形態では、ユーザは、名前ボックス３１に入力された名前を変更することができる。具体的には、ユーザが名前ボックス３１（１行目３１Ａ、２行目３１Ｂ）を押圧すると、制御部１００によって表示部１０７にキーボード画面（不図示）が表示される。ユーザは、表示されたキーボードを用いて、名前ボックス３１に任意の名前を入力することができる。
アイコン変更ボタン３２は、作成するワンタッチ選択用ボタン２１のアイコンを変更する際に、ユーザにより選択されるボタンである。また、アイコン変更ボタン３２の図中左側には、現在設定されているアイコンが表示される。本実施の形態では、表示部１０７に始めに表示されるデフォルト状態において、制御部１００により予め定められた図柄が設定され、アイコン変更ボタン３２の図中左側に表示される。
アイコン変更ボタン３２がユーザにより選択されると、制御部１００により表示部１０７に、複数の図柄が並んだアイコン選択画面（図１０参照）が表示される。そして、ユーザはこのアイコン選択画面の中から図柄を選択することで、作成する選択用ボタン２１の図柄を変更することができる。図１２は、アイコンがファックス用のアイコンに変更された状態を示している。
【００５５】
宛先表示選択ボタン３３は、左右に移動させることが可能なつまみを有しており、このつまみを左右にスライドさせることで、ユーザが、「する」または「しない」の別を選択することができるスライド式のボタンである。なお、宛先表示選択ボタン３３は、例えば、ステップ１０１にて選択された機能が、画像形成装置１０（図１参照）の外部にデータを転送する機能（ファックス送信やメール送信など）を含む場合に表示される。
詳細については後述するが、宛先表示選択ボタン３３にてユーザが「する」を選択した場合には、制御部１００の制御により、ホーム画面に表示されるワンタッチ選択用ボタン２１のアイコンに、ワンタッチ選択用ボタン２１に関連付けられた機能の宛先に関する情報が併せて表示される。なお、本実施の形態では、宛先表示選択ボタン３３は、表示部１０７に始めに表示されるデフォルト状態の作成画面において、「する」に設定されている。これにより、ユーザが宛先表示選択ボタン３３に対する操作を行わない場合には、選択用ボタン２１のアイコンに宛先が併せて表示されることになる。
この結果、ユーザがワンタッチ選択用ボタン作成画面において、宛先表示選択ボタン３３を「しない」の設定に変更する操作を行わない限り、ユーザに宛先を通知するように設定される。したがって、デフォルト状態の作成画面において、宛先表示選択ボタン３３を「しない」に設定している場合に比べて、意図しない宛先にデータが送信される等の誤送信の発生を抑制することができる。なお、図１２に示す例では、宛先表示選択ボタン３３は「する」に選択されている。
【００５６】
ダイレクトスタートボタン３４は、宛先表示選択ボタン３３と同様に、スライド式のボタンにより構成される。ダイレクトスタートのワンタッチ選択用ボタン２１の作成が許容されているときに表示されたワンタッチ選択用ボタン作成画面（図１１のステップ１０６）では、ダイレクトスタートボタン３４がアクティブに設定されている。したがって、ユーザがボタンのつまみを左右にスライドさせることで、ダイレクトスタートに「する」か、またはダイレクトスタートに「しない」（確認画面を表示する）かの別を選択することができる。
ユーザが、ダイレクトスタートボタン３４にて「する」を選択した場合に、ダイレクトスタートのワンタッチ選択用ボタン２１が作成されるが、ダイレクトスタートのワンタッチ選択用ボタン２１は、ホーム画面にて表示されるアイコンに、菱形のマーク９Ｅが付される（図１３参照）。一方、ユーザが、ダイレクトスタートボタン３４にて「しない」を選択した場合は、確認画面を表示するワンタッチ選択用ボタン２１が作成される。この場合には、ホーム画面にて表示されるアイコンには、菱形のマーク９Ｅは付されない。
【００５７】
ホーム画面にて、確認画面を表示するワンタッチ選択用ボタン２１がユーザにより選択された場合には、確認画面を表示するワンタッチ選択用ボタン２１に関連付けられた処理を開始するのに先立って、表示部１０７に、確認画面を表示するワンタッチ選択用ボタン２１に関連付けられた機能の設定内容等を確認するための確認画面が表示される。そして、その確認画面の提示を受けたユーザが、確認画面の提示を受けた後に、処理の開始を承諾したときは、ユーザが、画像形成装置１０に設けられたスタートボタンを押下することで、そのワンタッチ選択用ボタン２１に関連付けられた処理が開始される。
一方、ユーザが、確認画面の提示を受けた後に、処理の取り消しを求めるときは、ユーザが、画像形成装置１０に設けられた取り消しボタンを押下することで、そのワンタッチ選択用ボタン２１に関連付けられた処理は実行されず、表示部１０７はホーム画面に戻る。
【００５８】
本実施の形態では、表示部１０７に始めに表示されるデフォルト状態のワンタッチ選択用ボタン作成画面（図１２参照）において、ダイレクトスタートボタン３４は、「しない」に設定されている。これにより、ユーザがダイレクトスタートボタン３４に対して、「する」への変更の操作を行わない場合には、作成されるワンタッチ選択用ボタン２１は、「確認画面を表示するワンタッチ選択用ボタン２１」となる。
この結果、ユーザが作成画面においてダイレクトスタートボタン３４を「する」と変更しない限り、ダイレクトスタートのワンタッチ選択用ボタン２１とはしないように設定される。したがって、デフォルト状態においてダイレクトスタートボタン３４が「する」に設定されている場合に比べ、意図せずにダイレクトスタートのワンタッチ選択用ボタン２１が作成されることが抑制される。そして、ユーザが誤ってダイレクトスタートのワンタッチ選択用ボタン２１を選択することによって、そのダイレクトスタートのワンタッチ選択用ボタン２１に関連付けられた処理が意図せずに実行されるのを抑制することができる。
【００５９】
なお、図１２に示す例では、ダイレクトスタートボタン３４は、ユーザの選択により「する」に設定されている。
一方、確認画面を表示するワンタッチ選択用ボタン２１の作成だけが許容されているときに表示されたワンタッチ選択用ボタン作成画面（図１１のステップ１１２）では、ダイレクトスタートボタン３４は「しない」に固定されていて、非アクティブに設定されている。したがって、ユーザはボタンのつまみを左右にスライドさせることができず、ダイレクトスタートに「する」を選択することはできない。
【００６０】
種別表示部３５は、作成するワンタッチ選択用ボタン２１に関連付けられた機能の種別を表示する。種別表示部３５に表示される内容は、ステップ１０１にて選択された機能に対応して制御部１００により設定されるものであり、ユーザは変更することができない。
上述したように、作成するワンタッチ選択用ボタン２１のアイコンや名前はユーザにより変更することが可能であるため、ユーザによって、ワンタッチ選択用ボタン２１のアイコンや名前等が、選択した機能と関連しないものに変更される場合もある。この場合、機能選択をする際において機能と関連しないアイコンや名前等を見ることによってユーザはワンタッチ選択用ボタン２１に関連付けされた機能を誤認するおそれがある。
したがって、本実施の形態では、このような不具合の発生を抑制するために、ワンタッチ選択用ボタン２１に関連付けられた機能の種別を、種別表示部３５にて表示している。図１２に示す例では、制御部１００によって種別表示部３５に、ステップ１０１にて選択されたファックス機能に対応する「ファックス送信」、およびステップ１０２にて設定された送信先の件数に対応する「（送信先：１件）」の文字が表示されている。
【００６１】
説明ボックス３６は、作成するワンタッチ選択用ボタン２１に関する説明を入力するためのボックスである。ユーザは、説明ボックス３６に対して、任意の説明文を入力することができる。具体的には、ユーザが説明ボックス３６を押圧すると、制御部１００により表示部１０７にキーボード画面（不図示）が表示される。
ユーザは、このキーボードを用いて、任意の説明文を入力することができる。そして、制御部１００は、キーボードを介して入力を受け付けた説明文を説明ボックス３６に表示する。また、本実施の形態では、例えばステップ１０１にて選択された機能やステップ１０２にて設定された項目等に応じて、制御部１００により、説明ボックス３６に説明文が自動的に入力され表示される場合がある。この例では、制御部１００により、ステップ１０１にてファックスの送信先として設定した電話番号が、説明ボックス３６内に自動的に入力され表示されている。
【００６２】
プレビュー表示部３７は、作成するワンタッチ選択用ボタン２１がホーム画面においてどのように表示されるかについて、プレビューとして表示する部分である。具体的には、プレビュー表示部３７には、名前ボックス３１に入力されまたはデフォルトで入力された名前、およびアイコン変更ボタン３２により選択されたアイコンまたはデフォルトで選択されているアイコンが制御部１００によって表示される。
また、宛先表示選択ボタン３３にて「する」が選択されている場合には、図１３に示すホーム画面およびプレビュー表示部３７にそれぞれ、選択した機能の宛先に関する情報（宛先表示９Ｆ）がアイコンの上方に重畳して表示される。さらに、ダイレクトスタートボタン３４にて「する」が選択されている場合には、図１３に示すホーム画面およびプレビュー表示部３７にそれぞれ、菱形のマーク９Ｅがアイコンの右下に重畳して表示される。
【００６３】
ここで、本実施の形態の制御部１００は、名前ボックス３１、アイコン変更ボタン３２、宛先表示選択ボタン３３およびダイレクトスタートボタン３４にて設定される情報が変更された場合には、プレビュー表示部３７に表示されるプレビューに、変更内容をリアルタイムで反映させている。これにより、選択用ボタン２１の作成を行うユーザが、現在どのような設定がなされているかを確認することが可能になり、例えば作成するワンタッチ選択用ボタン２１に意図しないアイコンや名前等を設定してしまうことを抑制できる。
作成完了ボタン３８は、上述したように、ワンタッチ選択用ボタン２１の作成を完了させるためのボタンである。制御部１００は、ユーザにより作成完了ボタン３８が選択された場合（図１１のステップ１１０）に、選択された機能や設定項目を、記憶部１０５に記憶させる（図１１のステップ１１１）。
【００６４】
以上のように構成された本実施の形態の画像形成装置１０および制御プログラムによれば、制御部１００が、確認画面を表示するワンタッチ選択用ボタン２１とダイレクトスタートのワンタッチ選択用ボタン２１とを切り替えて作成する。表示部１０７のホーム画面に表示されている状態で、確認画面を表示するワンタッチ選択用ボタン２１がユーザにより選択されると、制御部１００が、ワンタッチ選択用ボタン作成画面に移行する前の段階の詳細設定の画面やワンタッチ選択用ボタン作成画面などでユーザにより設定され、記憶部１０５に記憶された項目の少なくとも一部をユーザに提示する確認画面を表示部１０７に表示する。そして、ユーザは、確認画面に表示された内容を確認した（現実に確認したことまで要求するものではない）後、スタートボタンを押すことで、このワンタッチ選択用ボタン２１に関連付けられた処理が実行される。
【００６５】
一方、表示部１０７のホーム画面に表示されている状態で、ダイレクトスタートのワンタッチ選択用ボタン２１がユーザにより選択されると、制御部１００が、そのダイレクトスタートのワンタッチ選択用ボタン２１に関連付けられた処理を実行するように、各機能部を制御し、処理が実行される。このとき、ユーザはワンタッチ選択用ボタン２１を選択した後は、処理の実行までの間に、いかなる操作も行わない。
【００６６】
したがって、本実施の形態によれば、処理への指示を受け付けた場合の動作の種類が一つしか選択できない場合に比べ、ユーザの意図に応じた処理の実行動作をする２種類のワンタッチ選択用ボタン２１を作成することができる。また、ワンタッチ選択用ボタン２１が選択されたときの、ユーザに求められる操作に差異を与えて、ユーザの利便性を向上させる。
これにより、例えばコピーを１〜２部作成するだけの処理については、誤って実行されても、その誤りの影響は大きくないため、確認画面を表示し、改めてスタートボタンを押させるという操作をユーザに求める必要がなく、ダイレクトスタートのワンタッチ選択用ボタン２１に関連付けた処理として、ユーザが、選択を行うだけで処理が実行されるようにすることで、ユーザによる操作の手数を省かせることができる。
一方、ファックスを送信する処理については、誤って実行されると、その誤りの影響が大きい場合も少なくないため、確認画面を表示し、改めてスタートボタンを押させるという操作がユーザに求められる。
このように、本実施の形態によれば、処理への指示を受け付けた場合の動作の種類が一つしか選択できない場合に比べ、ユーザの意図に応じた処理の実行動作をする２種類のワンタッチ選択用ボタン２１を作成することができる。また、ワンタッチ選択用ボタン２１の選択後にユーザに求められる操作に差異を与えて、ユーザの利便性を向上させる。
【００６７】
また、本実施の形態によれば、全ての処理についてダイレクトスタートのワンタッチ選択用ボタン２１の作成を許可する場合に比べて、一部の処理については、誤って処理が実行されることを抑制することができる。この場合、例えば、ワンタッチ選択用ボタン２１に関連付けられた処理の内容に応じて、作成されるワンタッチ選択用ボタン２１をダイレクトスタートのものとするか、または確認画面を表示するものとするかが切り替えられる（図１１のステップ１０５）ため、例えば、誤って処理が実行された場合に大きな影響が生じる処理については、ダイレクトスタートのワンタッチ選択用ボタン２１の作成を禁止することで、不用意に実行されるのを防ぐことができる。また、この一部の処理については、確認画面を表示するワンタッチ選択用ボタン２１の作成を許可することで、確認画面を表示するワンタッチ選択用ボタン２１の作成を禁止する場合に比べ、この一部の処理を容易に実行することができる。
【００６８】
さらに、本実施の形態によれば、ワンタッチ選択用ボタン２１に関連付けられる処理の内容が条件を満たさないことで、ダイレクトスタートのワンタッチ選択用ボタン２１の作成が許容された場合（図１１のステップ１０６）は、ユーザによるダイレクトスタートボタン３４の選択指示に従って、ダイレクトスタートのワンタッチ選択用ボタン２１または確認画面を表示するワンタッチ選択用ボタン２１が切り替えられて作成される（図１１のステップ１０８，１０９，１１４）。
したがって、ユーザの選択によっても、ある程度は、ダイレクトスタートのワンタッチ選択用ボタン２１と確認画面を表示するワンタッチ選択用ボタン２１とを切り替えて作成することができる。
【００６９】
なお、ダイレクトスタートのワンタッチ選択用ボタン２１を作成するか、または確認画面を表示するワンタッチ選択用画面を表示するワンタッチ選択用ボタン２１を作成するかの切り替えを、その作成されるワンタッチ選択用ボタン２１に関連付けられる処理の内容に応じたものとしないで、単純に、ユーザの選択指示のみに応じたものとしてもよい。この場合、上述した実施の形態において、制御部１００による、図１１におけるステップ１０５、ステップ１１２およびステップ１１３の処理を省けばよい。
【００７０】
一方、ダイレクトスタートのワンタッチ選択用ボタン２１を作成するか、または確認画面を表示するワンタッチ選択用画面を表示するワンタッチ選択用ボタン２１を作成するかの切り替えを、その作成されるワンタッチ選択用ボタン２１に関連付けられる処理の内容のみに応じたものとしてもよい。この場合、上述した実施の形態において、制御部１００による、図１１におけるステップ１０８の処理を省けばよい。
【００７１】
また、本実施の形態によれば、不用意に実行された場合に影響の大きい処理を、処理の種別、処理の出力に関するパラメータおよび処理の出力で用いられる資源の状態のうち少なくとも一つによって規定される条件とし、作成されるワンタッチ選択用ボタン２１に関連付けられた処理の内容が、この条件を満たす場合には、確認画面を表示するワンタッチ選択用ボタン２１が作成されるため、不用意な実行によって生じる影響が大きくなるのを防止することができる。
【００７２】
本実施の形態は、ファックスの機能に関する処理の内容を登録したワンタッチ選択用ボタン２１を作成する例であるが、ファックスの機能以外の機能に関する処理の内容を登録したワンタッチ選択用ボタン２１を作成する場合も、本実施の形態で説明した構成、工程と同様である。
【００７３】
ところで、本実施の形態において、ダイレクトスタートのワンタッチ選択用ボタン２１が作成された後に、この実施の形態の画像形成装置１０の種々の設定が変更されるなどして、そのワンタッチ選択用ボタン２１に関連付けられた処理の実行に影響が生じる場合がある。
例えば、ダイレクトスタートのワンタッチ選択用ボタン２１に、ボックス保存の処理（ボックス保存機能）が関連付けられた場合について説明する。本実施の形態において、ボックス保存機能をワンタッチ選択用ボタン２１に関連付ける場合には、ボックス保存の属性（以下、ボックス属性とよぶ）として、ワンタッチ選択用ボタン２１に対してさらにファックスやメール等の転送機能を詳細設定の項目として関連付ける（図１１のステップ１０２）ことが可能になっている。
【００７４】
したがって、ボックス保存機能が関連付けられたワンタッチ選択用ボタン２１に対して、ボックス属性として転送機能を関連付けた場合には、このワンタッチ選択用ボタン２１を選択して、関連付けられたボックスにデータを格納すると、そのボックスに格納されたデータは、ワンタッチ選択用ボタン２１に関連付けられているファックスやメール等の転送機能によって、画像形成装置１０の外部へ自動的に転送されることになる。
【００７５】
このため、制御部１００が、ボックス保存機能が関連付けられたワンタッチ選択用ボタン２１を作成する際は、その関連付けられた処理の内容としてファックスやメール等の転送機能があるか否かに応じて、その作成するワンタッチ選択用ボタン２１をダイレクトスタートのワンタッチ選択用ボタン２１とするか、または確認画面を表示するワンタッチ選択用ボタン２１とするかを切り替える。
具体的には、図１１のステップ１０５において、その作成するワンタッチ選択用ボタン２１に関連付けられる詳細設定の項目（ステップ１０２，１０３）としてファックスやメール等の転送機能が存在する場合は、誤った選択に起因する不用意な実行を防止するため、制御部１００は、確認なしで実行可能ではないと判定し（ステップ１０５でＮＯ）、確認画面を表示するワンタッチ選択用ボタン２１の作成画面を表示する（ステップ１１２）。
【００７６】
一方、ステップ１０５において、その作成するワンタッチ選択用ボタン２１に関連付けられる詳細設定の項目（ステップ１０２，１０３）としてファックスやメール等の転送機能が存在しない場合は、誤った選択に起因する不用意な実行があっても、その誤りによる影響は大きくないため、制御部１００は、確認なしで実行可能と判定し（ステップ１０５でＹＥＳ）、ダイレクトスタートのワンタッチ選択用ボタン２１の作成を許容する作成画面を表示する（ステップ１０６）。この場合、ワンタッチ選択用ボタン作成画面において、ユーザが、ダイレクトスタートボタン３４を操作して、ダイレクトスタート「する」を選択した場合（ステップ１０８→ステップ１０９）、制御部１００は、ダイレクトスタートのワンタッチ選択用ボタン２１を作成する。
【００７７】
ところで、本実施の形態は、ボックス保存機能によってデータが格納されるボックスに対して、ボックスごとに直接してボックス属性を関連付けることもできる。したがって、既に作成されたダイレクトスタートのワンタッチ選択用ボタン２１に関連付けられたボックス保存機能の対象となるボックスに対して直接、ファックスやメール等の転送機能のボックス属性を付与することができる。
したがって、そのようにファックスやメール等の転送機能のボックス属性が後から付与されたボックスを対象としたボックス保存機能を関連付けられたダイレクトスタートのワンタッチ選択用ボタン２１は、誤った選択によって不用意に実行されると、関連付けられている処理の内容にしたがって、データが対象のボックスに格納されるが、そのボックスに格納されたデータは、後から付与されたボックス属性によって、画像形成装置１０の外部へ自動的に転送されることになる。
【００７８】
そこで、本実施の形態では、作成されたダイレクトスタートのワンタッチ選択用ボタン２１が選択されたとき、そのワンタッチ選択用ボタン２１に関連付けられた処理を開始する以前に、その処理の内容を規定する設定項目に関して、変更が加えられているか否かを制御部１００が確認し、変更の内容に応じて、ダイレクトスタートを行わないように制御する。
具体的には、図１４に示すように、作成されたワンタッチ選択用ボタン２１が選択されたとき、制御部１００が、選択されたワンタッチ選択用ボタン２１が、「確認画面を表示するワンタッチ選択用ボタン」であるかを判定する（ステップ２０１（Ｓ２０１））。制御部１００は、選択されたワンタッチ選択用ボタン２１が「確認画面を表示するワンタッチ選択用ボタン」であると判定したとき（ステップ２０１でＹＥＳ）は、表示部１０７に確認画面を表示するよう制御し（ステップ２０５）、ユーザによりスタートボタンが押下された後に、そのワンタッチ選択用ボタン２１に関連付けられた処理を実行するよう制御する（ステップ２０４）。
【００７９】
一方、制御部１００は、選択されたワンタッチ選択用ボタン２１が「確認画面を表示するワンタッチ選択用ボタン」ではない（換言すれば、ダイレクトスタートのワンタッチ選択用ボタン２１である）と判定したとき（ステップ２０１でＮＯ）は、そのワンタッチ選択用ボタン２１に関連付けられた処理の内容を規定する設定項目に関して、変更が加えられているか否かを判定する（ステップ２０２）。制御部１００は、変更が加えられていないと判定したとき（ステップ２０２でＮＯ）は、そのワンタッチ選択用ボタン２１に関連付けられた処理を実行するよう制御する（ステップ２０４）。
また、制御部１００は、そのワンタッチ選択用ボタン２１に関連付けられた処理の内容を規定する設定項目に関して変更が加えられていると判定したとき（ステップ２０２でＹＥＳ）は、その変更によって、確認なしで処理の実行が可能か否かを判定する（ステップ２０３）。この「確認なしで処理の実行が可能か否かの判定」は、ワンタッチ選択用ボタン２１を作成する際に、記憶部１０５に記憶された処理の内容が予め設定された条件を満たすか否かを制御部１００が判定したときと同じ処理（図１１のステップ１０５）である。
【００８０】
制御部１００は、そのワンタッチ選択用ボタン２１に関連付けられた処理が、その変更によっても、確認なしで実行可能と判定したとき（ステップ２０３でＹＥＳ）は、そのワンタッチ選択用ボタン２１に関連付けられた処理を実行するよう制御する（ステップ２０４）。例えば、ボックス保存の処理が関連付けられたダイレクトスタートのワンタッチ選択用ボタン２１の場合、そのボックス保存の処理の対象とされているボックスの格納可能容量を増加させるような変更が、そのワンタッチ選択用ボタン２１の作成後に加えられているときは、その変更は、確認なしで処理を実行することの妨げる条件とはならない。したがって、この例の場合は、そのダイレクトスタートのワンタッチ選択用ボタン２１に関連付けられた処理は、確認画面が表示されることなく、またユーザによるスタートボタンの押下操作を待つことなく、実行される（ステップ２０４）。
【００８１】
一方、制御部１００は、そのワンタッチ選択用ボタン２１に関連付けられた処理が、その変更によって、確認なしで実行可能でないと判定したとき（ステップ２０３でＮＯ）は、このワンタッチ選択用ボタン２１がダイレクトスタートのものであるにも拘わらず、表示部１０７に確認画面を表示するよう制御し（ステップ２０５）、ユーザによりスタートボタンが押下された後に、そのワンタッチ選択用ボタン２１に関連付けられた処理を実行するよう制御する（ステップ２０４）。例えば、ボックス保存の処理が関連付けられたダイレクトスタートのワンタッチ選択用ボタン２１の場合、そのボックス保存の処理の対象とされているボックスの格納可能容量を減少させるような変更や、前述したような、作成時には付加されていなかったファックスやメール等の転送機能が付けられる変更が、そのワンタッチ選択用ボタン２１の作成後に加えられているときは、その変更は、確認なしで処理を実行することの妨げる条件となる。したがって、この例の場合は、そのダイレクトスタートのワンタッチ選択用ボタン２１に関連付けられた処理は、そのまま実行されるのではなく、確認画面が表示されて（ステップ２０５）、ユーザによるスタートボタンの押下操作があった後に実行される（ステップ２０４）。
【００８２】
このように、本実施の形態によれば、ダイレクトスタートのワンタッチ選択用ボタン２１として作成されたものであっても、そのワンタッチ選択用ボタン２１に関連付けられた処理の実行時に、その処理が、誤って実行された場合に大きな影響が生じる処理に変化している場合に、その処理が不用意に実行されるのを防ぐことができる。
【００８３】
前述した実施の形態は、以下の発明１〜５を含む。
発明１は、指示操作に応じて処理を実行する処理手段と、表示手段と、を有し、前記処理手段は、前記表示手段の表示画面上で第１の処理受付部に対する操作を受け付けた場合、当該第１の処理受付部について登録されている処理の内容を確認画面に表示し、当該確認画面上で実行指示を受け付けることを条件に当該登録されている処理を実行し、前記表示手段の表示画面上で第２の処理受付部に対する操作を受け付けた場合、前記実行指示を必要とすることなく、当該第２の処理受付部について登録されている処理を実行することを特徴とする処理装置である。
発明１によれば、処理への指示を受け付けた場合の動作の種類が一つしか選択できない場合に比べ、使用者の意図に応じた処理を実行できる。
発明２は、前記処理手段は、前記第２の処理受付部に対する操作を受け付けた場合でも、当該第２の処理受付部に対する前記処理の登録後に当該処理に影響を与える変更があり、当該変更が実行前の確認を必要とするときには、当該第２の処理受付部について登録されている処理の内容を表示する確認画面上で実行指示を受け付けるまで、当該第２の処理受付部について登録されている当該処理を実行しないことを特徴とする発明１に記載の処理装置である。
発明２によれば、第２の処理受付部による指示を受け付けた場合には、常に再度の指示を受けずに処理を実行する場合に比べ、誤って処理が実行されるのを抑制することができる。
発明３は、前記第１の処理受付部または前記第２の処理受付部は、使用者の入力指示に応じて事前に登録されることを特徴とする発明１に記載の処理装置である。
発明３によれば、使用者によって入力された指示に応じて、第１の処理受付部または第２の処理受付部を作成することができる。
発明４は、前記第１の処理受付部と前記第２の処理受付部とが同じ表示画面上に配置されていることを特徴とする発明１に記載の処理装置である。
発明４によれば、処理への指示を受け付けた場合の動作の種類が一つしか選択できない場合に比べ、使用者の意図に応じた処理を実行できる。
発明５は、コンピュータに、表示手段の表示画面上で第１の処理受付部に対する操作を受け付けた場合、当該第１の処理受付部について登録されている処理の内容を確認画面に表示し、当該確認画面上で実行指示を受け付けることを条件に当該登録されている処理を実行する機能と、前記表示手段の表示画面上で第２の処理受付部に対する操作を受け付けた場合、前記実行指示を必要とすることなく、当該第２の処理受付部について登録されている処理を実行する機能とを実現させるためのプログラムである。
発明５によれば、処理への指示を受け付けた場合の動作の種類が一つしか選択できない場合に比べ、使用者の意図に応じた処理を実行できる。 
【符号の説明】
【００８４】
１０…画像形成装置、２１…選択用ボタン、１００…制御部、１０５…記憶部、１０７…表示部
【図１】
2018064297.tif 000003
【図２】
2018064297.tif 000004
【図３】
2018064297.tif 000005
【図４】
2018064297.tif 000006
【図５】
2018064297.tif 000007
【図６】
2018064297.tif 000008
【図７】
2018064297.tif 000009
【図８】
2018064297.tif 000010
【図９】
2018064297.tif 000011
【図１０】
2018064297.tif 000012
【図１１】
2018064297.tif 000013
【図１２】
2018064297.tif 000014
【図１３】
2018064297.tif 000015
【図１４】
2018064297.tif 000016